(57)【要約】  この通信システムは、単位データを送信する送信装置と、当該送信装置から単位データを受信する受信装置と、からなる送受信装置を複数備える。複数の送信装置は、直列に接続されている。各送信装置７００は、自装置を識別するための識別情報を記憶する（７０１）。送信装置は、前段側から単位データを受け付ける（７０２）。送信装置は、受け付けた単位データに含まれる情報から所定の生成方式に従って複数の送信装置の１つを識別するための識別情報を生成する（７０３）。送信装置は、生成した識別情報が記憶されている識別情報と対応する場合、受け付けた単位データを受信装置へ送信する（７０４）。送信装置は、生成した識別情報が記憶されている識別情報と対応しない場合、受け付けた単位データを、後段側に接続された送信装置へ送出する（７０５）。
2010073474.tif 000002
【特許請求の範囲】
【請求項１】
データを送受信するために所定の単位毎にそのデータを分割した単位データを送信する送信装置と、当該送信装置から送信された単位データを受信する受信装置と、からなる送受信装置を複数備え、
前記複数の送信装置は、直列に接続され、
前記送信装置は、自装置を識別するための送信装置識別情報を記憶する送信装置識別情報記憶手段と、
前段側から前記単位データを受け付ける単位データ受付手段と、
前記受け付けた単位データに含まれる単位データ内情報から、予め定められた生成方式に従って、前記複数の送信装置のいずれか１つを識別するための送信装置識別情報を生成する送信装置識別情報生成手段と、
前記生成した送信装置識別情報が前記記憶されている送信装置識別情報と対応している場合、前記受け付けた単位データを、当該送信装置とともに前記送受信装置を構成する前記受信装置へ送信する単位データ送信手段と、
前記生成した送信装置識別情報が前記記憶されている送信装置識別情報と対応していない場合、前記受け付けた単位データを、後段側に接続された前記送信装置へ送出する単位データ送出手段と、
を備える通信システム。
【請求項２】
請求項１に記載の通信システムであって、
前記複数の受信装置は、直列に接続され、
前記受信装置は、当該受信装置とともに前記送受信装置を構成する前記送信装置により送信された単位データを受信し、当該受信した単位データを後段側に接続された前記受信装置へ送出するように構成された通信システム。
【請求項３】
請求項１又は請求項２に記載の通信システムであって、
前記複数の送受信装置のそれぞれに対して、その送受信装置を構成する前記送信装置及び前記受信装置の間で送受信されたデータ量を取得する通信データ量取得手段を備えるとともに、
前記取得されたデータ量の偏差が所定の閾値よりも大きい場合、前記送信装置識別情報生成手段が用いる前記生成方式を変更するように構成された通信システム。
【請求項４】
請求項３に記載の通信システムであって、
前記通信データ量取得手段は、
前記受信装置が、前記受信した単位データのデータ量を取得する受信データ量取得手段と、
前記受信装置が取得したデータ量を、当該受信装置とともに前記送受信装置を構成する前記送信装置へ送信するデータ量送信手段と、
を含み、
前記送信装置は、
当該送信装置とともに前記送受信装置を構成する前記受信装置により送信されたデータ量を受信するデータ量受信手段と、
前記受信したデータ量を、前段側に接続された前記送信装置へ送出するデータ量送出手段と、
後段側に接続された前記送信装置により送出されたデータ量を受け付け、当該受け付けたデータ量を前段側に接続された前記送信装置へ送出するデータ量転送手段と、
自装置が前記複数の送信装置のうちの最も前段側に位置する場合に、後段側に接続された前記送信装置により送出された前記複数の送受信装置のそれぞれに対するデータ量を受け付け、当該受け付けたデータ量の偏差が前記閾値よりも大きいとき、前記送信装置識別情報生成手段が用いる前記生成方式を変更する旨を指示する生成方式変更指示を後段側に接続された前記送信装置へ送出する生成方式変更指示送出手段と、
前段側に接続された前記送信装置により送出された生成方式変更指示を受け付け、当該受け付けた生成方式変更指示を後段側に接続された前記送信装置へ送出する生成方式変更指示転送手段と、
前記生成方式変更指示に応じて、前記送信装置識別情報生成手段が用いる前記生成方式を変更する生成方式変更手段と、
を備える通信システム。
【請求項５】
請求項１乃至請求項４のいずれか一項に記載の通信システムであって、
前記送受信装置は、無線通信を行うことにより前記単位データを送受信するように構成された通信システム。
【請求項６】
請求項１乃至請求項５のいずれか一項に記載の通信システムであって、
前記単位データ内情報は、ＭＡＣ（Ｍｅｄｉａ  Ａｃｃｅｓｓ  Ｃｏｎｔｒｏｌ）アドレスを表す情報、ＶＬＡＮ（Ｖｉｒｔｕａｌ  Ｌｏｃａｌ  Ａｒｅａ  Ｎｅｔｗｏｒｋ）−ＩＤ（Ｉｄｅｎｔｉｆｉｃａｔｉｏｎ）を表す情報、ＭＰＬＳ（Ｍｕｌｔｉ  Ｐｒｏｔｏｃｏｌ  Ｌａｂｅｌ  Ｓｗｉｔｃｈｉｎｇ）ラベルを表す情報、及び、ＩＰ（Ｉｎｔｅｒｎｅｔ  Ｐｒｏｔｏｃｏｌ）アドレスを表す情報のうちの少なくとも１つを含む情報である通信システム。
【請求項７】
自装置を識別するための送信装置識別情報を記憶する送信装置識別情報記憶手段と、
データを送受信するために所定の単位毎にそのデータを分割した単位データを受け付ける単位データ受付手段と、
前記受け付けた単位データに含まれる単位データ内情報から、予め定められた生成方式に従って、送信装置識別情報を生成する送信装置識別情報生成手段と、
前記生成した送信装置識別情報が前記記憶されている送信装置識別情報と対応している場合、前記受け付けた単位データを、自装置とともに送受信装置を構成する受信装置へ送信する単位データ送信手段と、
前記生成した送信装置識別情報が前記記憶されている送信装置識別情報と対応していない場合、前記受け付けた単位データを送出する単位データ送出手段と、
を備える送信装置。
【請求項８】
データを送受信するために所定の単位毎にそのデータを分割した単位データを送信する送信装置と、当該送信装置から送信された単位データを受信する受信装置と、からなる送受信装置を複数備えるとともに、前記複数の送信装置が直列に接続された通信システムに適用され、
前記送信装置が、前段側から前記単位データを受け付け、
前記送信装置が、前記受け付けた単位データに含まれる単位データ内情報から、予め定められた生成方式に従って、前記複数の送信装置のいずれか１つを識別するための送信装置識別情報を生成し、
前記送信装置が自装置を識別するために記憶している送信装置識別情報と、当該送信装置が前記生成した送信装置識別情報と、が対応している場合、当該送信装置が、前記受け付けた単位データを、当該送信装置とともに前記送受信装置を構成する前記受信装置へ送信し、
前記送信装置が自装置を識別するために記憶している送信装置識別情報と、当該送信装置が前記生成した送信装置識別情報と、が対応していない場合、当該送信装置が、前記受け付けた単位データを、後段側に接続された前記送信装置へ送出する、通信方法。
【請求項９】
請求項８に記載の通信方法であって、
前記複数の受信装置が直列に接続されている場合に、当該受信装置が、当該受信装置とともに前記送受信装置を構成する前記送信装置により送信された単位データを受信し、当該受信した単位データを後段側に接続された前記受信装置へ送出するように構成された通信方法。
【請求項１０】
請求項８又は請求項９に記載の通信方法であって、
前記複数の送受信装置のそれぞれに対して、その送受信装置を構成する前記送信装置及び前記受信装置の間で送受信されたデータ量を取得し、
前記取得されたデータ量の偏差が所定の閾値よりも大きい場合、前記送信装置識別情報を生成するために用いる前記生成方式を変更するように構成された通信方法。
【請求項１１】
送信装置に、
データを送受信するために所定の単位毎にそのデータを分割した単位データを前段側から受け付ける単位データ受付手段と、
前記受け付けた単位データに含まれる単位データ内情報から、予め定められた生成方式に従って、送信装置識別情報を生成する送信装置識別情報生成手段と、
前記送信装置が自装置を識別するために記憶している送信装置識別情報と、前記生成した送信装置識別情報と、が対応している場合、前記受け付けた単位データを、自装置とともに送受信装置を構成する受信装置へ送信する単位データ送信手段と、
前記送信装置が自装置を識別するために記憶している送信装置識別情報と、前記生成した送信装置識別情報と、が対応していない場合、前記受け付けた単位データを、後段側へ送出する単位データ送出手段と、
を実現させるためのプログラム。
【発明の詳細な説明】
【技術分野】
【０００１】
本発明は、データを送信する送信装置と、そのデータを受信する受信装置と、を備える通信システムに関する。
【背景技術】
【０００２】
データを送信する送信装置と、そのデータを受信する受信装置と、を備える通信システムが知られている。この種の通信システムの一つとして、特許文献１に記載の通信システムにおいて、送信装置は、複数の無線通信装置と、データ分割・複合変換器と、を備える。同様に、受信装置も、複数の無線通信装置と、データ分割・複合変換器と、を備える。即ち、この通信システムは、複数対の無線通信装置を備える。【０００３】
送信装置のデータ分割・複合変換器は、入力されたデータを複数の単位データに分割し、分割した単位データのそれぞれに対応する無線通信装置へ送出する。各無線通信装置は、データ分割・複合変換器により送出された単位データを受け付け、受け付けた単位データを受信装置の無線通信装置へ送信する。【０００４】
受信装置のデータ分割・複合変換器は、各無線通信装置により受信された単位データを変換することにより、送信装置に入力されたデータを復元する。
このような通信システムによれば、１対の無線通信装置のみを用いてデータを送受信する場合よりも、通信帯域（通信速度）を大きくすることができる。
【先行技術文献】
【特許文献】
【０００５】
【特許文献１】特開２００２−１９１０７３号公報
【発明の概要】
【発明が解決しようとする課題】
【０００６】
ところで、上記通信システムにおいては、データ分割・複合変換器の構成を変更しなければ、通信帯域を変更することができない。即ち、通信帯域を容易に変更することができないという問題があった。【０００７】
このため、本発明の目的は、上述した課題である「通信帯域を容易に変更することができないこと」を解決することが可能な通信システムを提供することにある。
【課題を解決するための手段】
【０００８】
かかる目的を達成するため本発明の一形態である通信システムは、
データを送受信するために所定の単位毎にそのデータを分割した単位データを送信する送信装置と、当該送信装置から送信された単位データを受信する受信装置と、からなる送受信装置を複数備える。
上記複数の送信装置は、直列に接続される。【０００９】
更に、上記送信装置は、
自装置を識別するための送信装置識別情報を記憶する送信装置識別情報記憶手段と、
前段側から上記単位データを受け付ける単位データ受付手段と、
上記受け付けた単位データに含まれる単位データ内情報から、予め定められた生成方式に従って、上記複数の送信装置のいずれか１つを識別するための送信装置識別情報を生成する送信装置識別情報生成手段と、
上記生成した送信装置識別情報が上記記憶されている送信装置識別情報と対応している場合、上記受け付けた単位データを、当該送信装置とともに上記送受信装置を構成する上記受信装置へ送信する単位データ送信手段と、
上記生成した送信装置識別情報が上記記憶されている送信装置識別情報と対応していない場合、上記受け付けた単位データを、後段側に接続された上記送信装置へ送出する単位データ送出手段と、
を備える。【００１０】
また、本発明の他の形態である送信装置は、
自装置を識別するための送信装置識別情報を記憶する送信装置識別情報記憶手段と、
データを送受信するために所定の単位毎にそのデータを分割した単位データを受け付ける単位データ受付手段と、
上記受け付けた単位データに含まれる単位データ内情報から、予め定められた生成方式に従って、送信装置識別情報を生成する送信装置識別情報生成手段と、
上記生成した送信装置識別情報が上記記憶されている送信装置識別情報と対応している場合、上記受け付けた単位データを、自装置とともに送受信装置を構成する受信装置へ送信する単位データ送信手段と、
上記生成した送信装置識別情報が上記記憶されている送信装置識別情報と対応していない場合、上記受け付けた単位データを送出する単位データ送出手段と、
を備える。【００１１】
また、本発明の他の形態である通信方法は、
データを送受信するために所定の単位毎にそのデータを分割した単位データを送信する送信装置と、当該送信装置から送信された単位データを受信する受信装置と、からなる送受信装置を複数備えるとともに、上記複数の送信装置が直列に接続された通信システムに適用される。【００１２】
更に、上記通信方法は、
上記送信装置が、前段側から上記単位データを受け付け、
上記送信装置が、上記受け付けた単位データに含まれる単位データ内情報から、予め定められた生成方式に従って、上記複数の送信装置のいずれか１つを識別するための送信装置識別情報を生成し、
上記送信装置が自装置を識別するために記憶している送信装置識別情報と、当該送信装置が上記生成した送信装置識別情報と、が対応している場合、当該送信装置が、上記受け付けた単位データを、当該送信装置とともに上記送受信装置を構成する上記受信装置へ送信し、
上記送信装置が自装置を識別するために記憶している送信装置識別情報と、当該送信装置が上記生成した送信装置識別情報と、が対応していない場合、当該送信装置が、上記受け付けた単位データを、後段側に接続された上記送信装置へ送出する方法である。【００１３】
また、本発明の他の形態であるプログラムは、
送信装置に、
データを送受信するために所定の単位毎にそのデータを分割した単位データを前段側から受け付ける単位データ受付手段と、
上記受け付けた単位データに含まれる単位データ内情報から、予め定められた生成方式に従って、送信装置識別情報を生成する送信装置識別情報生成手段と、
上記送信装置が自装置を識別するために記憶している送信装置識別情報と、上記生成した送信装置識別情報と、が対応している場合、上記受け付けた単位データを、自装置とともに送受信装置を構成する受信装置へ送信する単位データ送信手段と、
上記送信装置が自装置を識別するために記憶している送信装置識別情報と、上記生成した送信装置識別情報と、が対応していない場合、上記受け付けた単位データを、後段側へ送出する単位データ送出手段と、
を実現させるためのプログラムである。
【発明の効果】
【００１４】
本発明は、以上のように構成されることにより、通信帯域を容易に変更することができる。
【図面の簡単な説明】
【００１５】
【図１】本発明の第１実施形態に係る通信システムの概略構成を表す図である。
【図２】図１に示した通信装置の概略構成を表す図である。
【図３】フレームに含まれるヘッダ情報を概念的に示した説明図である。
【図４】本発明の第１実施形態に係る通信システムの作動を示したシーケンス図である。
【図５】本発明の第２実施形態に係る通信装置の概略構成を表す図である。
【図６】本発明の第２実施形態に係る通信システムの作動を示したシーケンス図である。
【図７】本発明の第３実施形態に係る通信装置の機能の概略を表すブロック図である。
【発明を実施するための形態】
【００１６】
以下、本発明に係る、通信システム、送信装置、通信方法、及び、プログラム、の各実施形態について図１〜図７を参照しながら説明する。
【００１７】
＜第１実施形態＞
（構成）
図１に示したように、第１実施形態に係る通信システム１は、複数の通信装置１１０〜１８０を備える。各通信装置１１０〜１８０は、無線により通信を行う無線通信装置である。本例では、各通信装置１１０〜１８０は、屋内無線通信機器（ＩＤＵ；Ｉｎ  Ｄｏｏｒ  Ｕｎｉｔ）である。
【００１８】
なお、本例では、通信装置１１０〜１４０から通信装置１５０〜１８０へデータが送信される場合についてのみ説明するが、通信装置１５０〜１８０から通信装置１１０〜１４０へデータが送信される場合も同様に説明される。従って、本例では、通信装置１１０〜１４０は、送信装置を構成し、通信装置１５０〜１８０は、受信装置を構成している。
【００１９】
本例では、通信装置１１０及び通信装置１５０は、１つの送受信装置を構成している。即ち、通信装置１１０は、データを送受信するために所定の単位毎にそのデータを分割した単位データ（本例では、フレーム）を通信装置１５０へ送信する。なお、単位データは、パケット、又は、セグメント等であってもよい。通信装置１５０は、通信装置１１０から送信されたフレームを受信する。
【００２０】
同様に、通信装置１２０及び通信装置１６０と、通信装置１３０及び通信装置１７０と、通信装置１４０及び通信装置１８０と、のそれぞれも、１つの送受信装置を構成している。
【００２１】
各通信装置１１０〜１８０は、同一の構成を有する。従って、以下、通信装置１１０についてのみ説明する。
【００２２】
通信装置１１０は、図２に示したように、第１の通信ポート（ＰＨＹ）１１１と、デマルチプレクサ回路部（Ｄｅｍｕｘ）１１２と、マルチプレクサ回路部（Ｍｕｘ）１１３と、無線通信部（Ｒａｄｉｏ  Ｆｒａｍｅ）１１４と、第２の通信ポート（Ｓｔａｃｋ  Ｐｏｒｔ）１１５と、を備える。
【００２３】
第１の通信ポート１１１は、ＬＡＮ（Ｌｏｃａｌ  Ａｒｅａ  Ｎｅｔｗｏｒｋ）用のポートである。第１の通信ポート１１１は、フレームを終端する。通信装置１１０は、第１の通信ポート１１１を介して図示しないサーバ装置と接続されている。このサーバ装置は、フレーム（送信フレーム）を通信装置１１０へ送出する。
【００２４】
デマルチプレクサ回路部１１２は、第１の通信ポート１１１を介してフレーム（送信フレーム）を受け付ける。即ち、第１の通信ポート１１１及びデマルチプレクサ回路部１１２は、前段側からフレーム（単位データ）を受け付ける単位データ受付手段を構成している。
デマルチプレクサ回路部１１２は、受け付けたフレーム（送信フレーム）を、無線通信部１１４又は第２の通信ポート１１５へ送出する。
【００２５】
デマルチプレクサ回路部１１２は、装置識別情報記憶部（送信装置識別情報記憶手段）１１２ａと、装置識別情報生成部（送信装置識別情報生成手段）１１２ｂと、を含む。
【００２６】
装置識別情報記憶部１１２ａは、自装置を識別するための装置識別情報（送信装置識別情報）を予め記憶する。装置識別情報記憶部１１２ａに記憶されている装置識別情報は、通信装置１１０〜１８０のそれぞれに対して一意に付与された情報である。本例では、通信装置１１０は、「０」を表す装置識別情報を記憶し、通信装置１２０は、「１」を表す装置識別情報を記憶し、通信装置１３０は、「２」を表す装置識別情報を記憶し、通信装置１４０は、「３」を表す装置識別情報を記憶する。なお、通信装置１５０〜１８０も同様である。
【００２７】
装置識別情報生成部１１２ｂは、受け付けたフレーム（送信フレーム）に含まれるヘッダ情報（単位データ内情報）から、予め定められた生成方式に従って、通信装置１１０〜１４０のいずれか１つを識別するための送信装置識別情報（ロードバランスＩＤ）を生成する。
【００２８】
本例では、ヘッダ情報は、図３に示したように、ＭＡＣ（Ｍｅｄｉａ  Ａｃｃｅｓｓ  Ｃｏｎｔｒｏｌ）アドレスを表す情報、ＶＬＡＮ（Ｖｉｒｔｕａｌ  Ｌｏｃａｌ  Ａｒｅａ  Ｎｅｔｗｏｒｋ）−ＩＤ（Ｉｄｅｎｔｉｆｉｃａｔｉｏｎ）を表す情報、及び、ＩＰ（Ｉｎｔｅｒｎｅｔ  Ｐｒｏｔｏｃｏｌ）アドレスを表す情報を含む。ＭＡＣアドレスを表す情報は、１２バイトの情報である。
【００２９】
なお、ヘッダ情報は、ＭＰＬＳ（Ｍｕｌｔｉ  Ｐｒｏｔｏｃｏｌ  Ｌａｂｅｌ  Ｓｗｉｔｃｈｉｎｇ）ラベルを表す情報を含んでいてもよい。また、ヘッダ情報は、ＭＡＣアドレスを表す情報、ＶＬＡＮ−ＩＤを表す情報、ＭＰＬＳラベルを表す情報、及び、ＩＰアドレスを表す情報の少なくとも１つを含む情報であってもよい。
【００３０】
装置識別情報生成部１１２ｂは、ＭＡＣアドレスを表す情報（１２バイトの情報）を１バイト毎に分割する。そして、装置識別情報生成部１１２ｂは、分割された１バイトの情報のそれぞれに対して、その情報のうちの最下位に位置する１ビットの情報を取得する。次いで、装置識別情報生成部１１２ｂは、取得した１２個の１ビットの情報の排他的論理和を算出する。
【００３１】
更に、装置識別情報生成部１１２ｂは、分割された１バイトの情報のそれぞれに対して、その情報のうちの最下位よりも１ビットだけ上位側に位置する１ビットの情報を取得する。次いで、装置識別情報生成部１１２ｂは、取得した１２個の１ビットの情報の排他的論理和を算出する。
【００３２】
加えて、装置識別情報生成部１１２ｂは、分割された１バイトの情報のそれぞれに対して、その情報のうちの最下位よりも２ビットだけ上位側に位置する１ビットの情報を取得する。次いで、装置識別情報生成部１１２ｂは、取得した１２個の１ビットの情報の排他的論理和を算出する。
【００３３】
そして、装置識別情報生成部１１２ｂは、算出された３つの排他的論理和からなる３ビットの情報が表す整数を、送信装置を構成する通信装置の数（本例では、４）により除した場合の剰余（即ち、「０」〜「３」の整数）を表す情報をロードバランスＩＤとして算出する。
【００３４】
デマルチプレクサ回路部１１２は、装置識別情報生成部１１２ｂにより生成されたロードバランスＩＤが、装置識別情報記憶部１１２ａにより記憶されている装置識別情報と対応（本例では、一致）している場合、受け付けたフレーム（送信フレーム）を、無線通信部１１４へ送出する。即ち、この場合、デマルチプレクサ回路部１１２は、受け付けたフレーム（送信フレーム）を、自装置とともに送受信装置を構成する受信装置（即ち、通信装置１５０）へ送信する。デマルチプレクサ回路部１１２及び無線通信部１１４は、単位データ送信手段を構成している。
【００３５】
一方、デマルチプレクサ回路部１１２は、装置識別情報生成部１１２ｂにより生成されたロードバランスＩＤが、装置識別情報記憶部１１２ａにより記憶されている装置識別情報と対応（本例では、一致）していない場合、受け付けたフレーム（送信フレーム）を、第２の通信ポート１１５へ送出する。即ち、この場合、デマルチプレクサ回路部１１２は、受け付けたフレーム（送信フレーム）を、後段側に接続された送信装置としての通信装置１２０へ送出する。デマルチプレクサ回路部１１２及び第２の通信ポート１１５は、単位データ送出手段を構成している。
【００３６】
マルチプレクサ回路部１１３は、無線通信部１１４又は第２の通信ポート１１５を介してフレーム（受信フレーム）を受け付ける。マルチプレクサ回路部１１３は、受け付けたフレーム（受信フレーム）を第１の通信ポート１１１へ送出する。
【００３７】
無線通信部１１４は、図示しない無線通信用アンテナを含む。無線通信部１１４は、デマルチプレクサ回路部１１２により送出されたフレーム（送信フレーム）を無線通信用アンテナを介して、通信装置１１０とともに送受信装置を構成する通信装置１５０へ送信する。
【００３８】
一方、無線通信部１１４は、通信装置１５０により送信されたフレーム（受信フレーム）を、無線通信用アンテナを介して受信する。無線通信部１１４は、受信したフレーム（受信フレーム）をマルチプレクサ回路部１１３へ送出する。
【００３９】
第２の通信ポート１１５は、第１の通信ポート１１１と同様の構成を有する。
更に、第２の通信ポート１１５は、通信装置１２０が備える第１の通信ポートと接続されている。同様に、通信装置１２０が備える第２の通信ポートは、通信装置１３０が備える第１の通信ポートと接続されている。同様に、通信装置１３０が備える第２の通信ポートは、通信装置１４０が備える第１の通信ポートと接続されている。
このようにして、複数の通信装置（送信装置）１１０〜１４０は、直列に接続されている。
【００４０】
一方、通信装置１５０が備える第２の通信ポートは、通信装置１６０が備える第１の通信ポートと接続されている。同様に、通信装置１６０が備える第２の通信ポートは、通信装置１７０が備える第１の通信ポートと接続されている。同様に、通信装置１７０が備える第２の通信ポートは、通信装置１８０が備える第１の通信ポートと接続されている。
このようにして、複数の通信装置（受信装置）１５０〜１８０も、直列に接続されている。
【００４１】
（作動）
次に、上記のように構成された通信システム１の作動について図４を参照しながら説明する。
先ず、通信装置１１０が、前段側に接続されたサーバ装置から送信フレームを受け付ける（単位データ受付工程）と、通信装置１１０の装置識別情報生成部１１２ｂは、受け付けた送信フレームに含まれるヘッダ情報から、上記生成方式に従って、ロードバランスＩＤを生成する（ステップ４０１、送信装置識別情報生成工程）。
【００４２】
次いで、通信装置１１０のデマルチプレクサ回路部１１２は、生成されたロードバランスＩＤが、通信装置１１０の装置識別情報記憶部１１２ａにより記憶されている装置識別情報と一致しているか否かを判定する。
【００４３】
いま、生成されたロードバランスＩＤが、通信装置１３０を識別するための装置識別情報と一致している場合を想定して説明を続ける。
【００４４】
この場合、通信装置１１０のデマルチプレクサ回路部１１２は、生成されたロードバランスＩＤが、通信装置１１０の装置識別情報記憶部１１２ａにより記憶されている装置識別情報と一致していないと判定する（ステップ４０２）。そして、通信装置１１０のデマルチプレクサ回路部１１２は、受け付けた送信フレームを、第２の通信ポート１１５を介して、後段側に接続された通信装置１２０へ送出する（単位データ送出工程）。
【００４５】
通信装置１２０が、通信装置１１０から送信フレームを受け付ける（単位データ受付工程）と、通信装置１２０は、受け付けた送信フレームに含まれるヘッダ情報から、上記生成方式に従って、ロードバランスＩＤを生成する（ステップ４０３、送信装置識別情報生成工程）。
【００４６】
次いで、通信装置１２０は、生成されたロードバランスＩＤが、通信装置１２０の装置識別情報記憶部により記憶されている装置識別情報と一致しているか否かを判定する。上記仮定に従えば、通信装置１２０は、生成されたロードバランスＩＤが、通信装置１２０の装置識別情報記憶部により記憶されている装置識別情報と一致していないと判定する（ステップ４０４）。そして、通信装置１２０は、受け付けた送信フレームを、第２の通信ポートを介して、後段側に接続された通信装置１３０へ送出する（単位データ送出工程）。
【００４７】
通信装置１３０が、通信装置１２０から送信フレームを受け付ける（単位データ受付工程）と、通信装置１３０は、受け付けた送信フレームに含まれるヘッダ情報から、上記生成方式に従って、ロードバランスＩＤを生成する（ステップ４０５、送信装置識別情報生成工程）。
【００４８】
次いで、通信装置１３０は、生成されたロードバランスＩＤが、通信装置１３０の装置識別情報記憶部により記憶されている装置識別情報と一致しているか否かを判定する。上記仮定に従えば、通信装置１３０は、生成されたロードバランスＩＤが、通信装置１３０の装置識別情報記憶部により記憶されている装置識別情報と一致していると判定する（ステップ４０６）。
【００４９】
そして、通信装置１３０は、受け付けた送信フレームを、自装置とともに送受信装置を構成する受信装置としての通信装置１７０へ送信する（単位データ送信工程）。
【００５０】
通信装置１７０は、通信装置１３０により送信されたフレームを受信し、受信したフレーム（受信フレーム）を後段側に接続された通信装置１６０へ送出する。
通信装置１６０は、通信装置１７０から受信フレームを受け付けると、受け付けた受信フレームを後段側に接続された通信装置１５０へ送出する。
【００５１】
このようにして、最も後段側の受信装置としての通信装置１５０は、各通信装置１５０〜１８０により受信された受信フレーム（即ち、各通信装置１１０〜１４０により送信された送信フレーム）のすべてを受け取ることができる。
【００５２】
なお、上述した通信システム１の作動の一例は、送信フレームに基づいて生成されるロードバランスＩＤが、通信装置１３０を識別するための装置識別情報と一致している場合における例であったが、ロードバランスＩＤが通信装置１３０以外の通信装置を識別するための装置識別情報と一致している場合についても同様に説明される。
【００５３】
以上、説明したように、本発明による通信システムの第１実施形態によれば、複数の送受信装置を用いて複数のフレーム（単位データ）を同時に送受信することができる。これにより、１つの送受信装置のみを用いてデータを送受信する場合よりも、通信帯域（通信速度）を大きくすることができる。
【００５４】
加えて、上記通信システム１によれば、既存の送信装置に新たな送信装置を接続することにより、送信装置を通信システム１に容易に追加することができる。また、接続されている送信装置を取り外すことにより、送信装置を通信システム１から容易に削除することができる。このように、上記通信システム１によれば、通信システム１に送信装置を追加又は削除することにより、通信帯域を容易に変更することができる。
【００５５】
＜第２実施形態＞
次に、本発明の第２実施形態に係る通信システムについて説明する。第２実施形態に係る通信システムは、上記第１実施形態に係る通信システムに対して、特定の送受信装置に通信負荷が偏っている場合に、ロードバランスＩＤを生成する際に用いる生成方式を変更する点において相違している。従って、以下、かかる相違点を中心として説明する。
【００５６】
（構成）
第２実施形態に係る通信装置１１０は、第１実施形態に係る通信装置１１０が備える第１の通信ポート１１１〜第２の通信ポート１１５に加えて、受信フレーム量取得部（受信データ量取得手段）１１６と、生成方式変更指示送出部１１７と、を備える。
【００５７】
受信フレーム量取得部１１６は、無線通信部１１４によりフレームが受信される毎に、受信されたフレームのデータ量（フレーム量）を取得する。即ち、受信フレーム量取得部１１６は、１つの送受信装置を構成する送信装置及び受信装置（ここでは、通信装置１１０及び通信装置１５０）の間で送受信されたデータ量を取得する。
【００５８】
そして、受信フレーム量取得部１１６は、予め設定された取得時間が経過する毎に、その取得時間内に取得されたフレーム量の和（受信フレーム量）を含む制御フレームを、無線通信部（データ量送信手段）１１４へ送出する。即ち、無線通信部１１４及び受信フレーム量取得部１１６は、通信データ量取得手段を構成している。
【００５９】
また、マルチプレクサ回路部１１３は、自装置が複数の送信装置のうちの最も前段側に位置するか否かを判定する。本例では、マルチプレクサ回路部１１３は、自装置が複数の送信装置のうちの最も前段側に位置するか否かを表す情報を予め記憶し、その情報に基づいて上記判定を行う。
【００６０】
マルチプレクサ回路部１１３は、自装置が複数の送信装置のうちの最も前段側に位置していると判定した場合、無線通信部１１４を介して受け付けた制御フレームと、第２の通信ポート１１５を介して受け付けた制御フレームと、のそれぞれに含まれる受信フレーム量を生成方式変更指示送出部１１７へ送出する。
【００６１】
一方、自装置が複数の送信装置のうちの最も前段側に位置していないと判定した場合、マルチプレクサ回路部１１３は、無線通信部１１４を介して受け付けた制御フレームと、第２の通信ポート１１５を介して受け付けた制御フレームと、を第１の通信ポート１１１へ送出する。
【００６２】
なお、マルチプレクサ回路部１１３及び無線通信部１１４は、データ量受信手段を構成している。また、第１の通信ポート１１１及びマルチプレクサ回路部１１３は、データ量送出手段を構成している。更に、第１の通信ポート１１１、マルチプレクサ回路部１１３及び第２の通信ポート１１５は、データ量転送手段を構成している。
【００６３】
生成方式変更指示送出部１１７は、マルチプレクサ回路部１１３から複数の送受信装置のそれぞれに対する受信フレーム量を受け付ける。生成方式変更指示送出部１１７は、受け付けた受信フレーム量の偏差が予め設定された閾値よりも大きいとき、生成方式変更指示をデマルチプレクサ回路部１１２へ送出する。
【００６４】
本例では、受信フレーム量の偏差は、すべての送受信装置に対する受信フレーム量の平均値と、各受信フレーム量と、の差の絶対値である。また、生成方式変更指示は、ロードバランスＩＤを生成するために用いる生成方式を変更する旨を指示する情報である。
【００６５】
デマルチプレクサ回路部１１２は、第１の通信ポート１１１又は生成方式変更指示送出部１１７から生成方式変更指示を受け付けると、以降において、生成方式を、ＭＡＣアドレスを表す情報に基づいてロードバランスＩＤを生成する方式から、ＶＬＡＮ−ＩＤを表す情報に基づいてロードバランスＩＤを生成する方式へ変更する。また、デマルチプレクサ回路部１１２は、ロードバランスＩＤを生成するために用いるビット数を変更してもよい。なお、デマルチプレクサ回路部１１２は、生成方式変更手段を構成している。
【００６６】
更に、デマルチプレクサ回路部１１２は、第１の通信ポート１１１又は生成方式変更指示送出部１１７から生成方式変更指示を受け付けると、受け付けた生成方式変更指示を含む制御フレームを第２の通信ポート１１５へ送出する。即ち、デマルチプレクサ回路部１１２は、受け付けた生成方式変更指示を含む制御フレームを後段側に接続された通信装置１２０へ送出する。
【００６７】
なお、デマルチプレクサ回路部１１２、第２の通信ポート１１５及び生成方式変更指示送出部１１７は、生成方式変更指示送出手段を構成している。また、第１の通信ポート１１１、デマルチプレクサ回路部１１２及び第２の通信ポート１１５は、生成方式変更指示転送手段を構成している。
【００６８】
（作動）
次に、受信フレーム量に基づいて生成方式を変更する際の、第２実施形態に係る通信システム１の作動について図６を参照しながら説明する。
【００６９】
上述したように、受信装置としての通信装置１５０〜１８０のそれぞれの受信フレーム量取得部は、無線通信部を介して受信したフレームのデータ量を取得する（通信データ量取得工程）。更に、通信装置１５０〜１８０のそれぞれの受信フレーム量取得部は、上記取得時間が経過する毎に、その取得時間内に取得されたフレーム量の和（受信フレーム量）を含む制御フレームを、無線通信部へ送出する。これにより、無線通信部は、受信装置とともに送受信装置を構成する送信装置へ制御フレームを送信する。
【００７０】
具体的に述べると、通信装置１８０は、制御フレームを通信装置１４０へ送信し（ステップ６０１）、通信装置１７０は、制御フレームを通信装置１３０へ送信し（ステップ６０２）、通信装置１６０は、制御フレームを通信装置１２０へ送信し（ステップ６０３）、通信装置１５０は、制御フレームを通信装置１１０へ送信する（ステップ６０４）。
【００７１】
通信装置１４０は、通信装置１８０から制御フレームを受信すると、自装置が複数の送信装置のうちの最も前段側に位置するか否かを判定する。そして、通信装置１４０は、自装置が複数の送信装置のうちの最も前段側に位置していないと判定し、受信した制御フレームを、第１の通信ポートを介して通信装置１３０へ送出する。
【００７２】
また、通信装置１３０は、通信装置１７０から制御フレームを受信すると、自装置が複数の送信装置のうちの最も前段側に位置するか否かを判定する。そして、通信装置１３０は、自装置が複数の送信装置のうちの最も前段側に位置していないと判定し、受信した制御フレームと、通信装置１４０から受け付けた制御フレームと、を第１の通信ポートを介して通信装置１２０へ送出する。
【００７３】
同様に、通信装置１２０は、通信装置１６０から制御フレームを受信すると、自装置が複数の送信装置のうちの最も前段側に位置するか否かを判定する。そして、通信装置１２０は、自装置が複数の送信装置のうちの最も前段側に位置していないと判定し、受信した制御フレームと、通信装置１３０から受け付けた制御フレームと、を第１の通信ポートを介して通信装置１１０へ送出する。
【００７４】
また、通信装置１１０は、通信装置１５０から制御フレームを受信すると、自装置が複数の送信装置のうちの最も前段側に位置するか否かを判定する。そして、通信装置１１０は、自装置が複数の送信装置のうちの最も前段側に位置していると判定し、受信した制御フレームと、通信装置１２０から受け付けた制御フレームと、のそれぞれに含まれる受信フレーム量を通信装置１１０の生成方式変更指示送出部１１７へ送出する。
【００７５】
通信装置１１０の生成方式変更指示送出部１１７は、通信装置１１０のマルチプレクサ回路部１１３から複数の送受信装置のそれぞれに対する受信フレーム量を受け付ける。そして、生成方式変更指示送出部１１７は、受け付けた受信フレーム量の偏差が上記閾値よりも大きいか否かを判定する。
【００７６】
いま、生成方式変更指示送出部１１７が受け付けた受信フレーム量の偏差が上記閾値よりも大きい場合を想定して説明を続ける。
この場合、通信装置１１０の生成方式変更指示送出部１１７は、生成方式変更指示を通信装置１１０のデマルチプレクサ回路部１１２へ送出する（ステップ６０５）。
【００７７】
これにより、通信装置１１０は、生成方式変更指示を第２の通信ポート１１５を介して通信装置１２０へ送出する。更に、通信装置１２０は、通信装置１１０から受け付けた生成方式変更指示を通信装置１３０へ送出する。同様に、通信装置１３０は、通信装置１２０から受け付けた生成方式変更指示を通信装置１４０へ送出する。
【００７８】
また、通信装置１１０は、生成方式変更指示に従って、以降において、ロードバランスＩＤを生成するために用いる生成方式を変更する（ステップ６０６）。同様に、通信装置１２０〜１４０のそれぞれも、受け付けた生成方式変更指示に従って、以降において、ロードバランスＩＤを生成するために用いる生成方式を変更する（ステップ６０７〜ステップ６０９）。
【００７９】
以上、説明したように、本発明による通信システムの第２実施形態によれば、上記第１実施形態と同様の作用及び効果を奏することができる。
更に、上記第２実施形態によれば、特定の送受信装置に通信負荷が偏っている状態が継続することを回避することができる。
【００８０】
＜第３実施形態＞
次に、本発明の第３実施形態に係る通信システムについて図７を参照しながら説明する。
第３実施形態に係る通信システムは、データを送受信するために所定の単位毎にそのデータを分割した単位データを送信する送信装置と、当該送信装置から送信された単位データを受信する受信装置と、からなる送受信装置を複数備える。
【００８１】
更に、複数の送信装置は、直列に接続される。
加えて、図７に示したように、送信装置７００の機能は、送信装置識別情報記憶部（送信装置識別情報記憶手段）７０１と、単位データ受付部（単位データ受付手段）７０２と、送信装置識別情報生成部（送信装置識別情報生成手段）７０３と、単位データ送信部（単位データ送信手段）７０４と、単位データ送出部（単位データ送出手段）７０５と、を含む。
【００８２】
送信装置識別情報記憶部７０１は、自装置を識別するための送信装置識別情報を記憶する。
単位データ受付部７０２は、前段側から単位データを受け付ける。
【００８３】
送信装置識別情報生成部７０３は、単位データ受付部７０２により受け付けた単位データに含まれる単位データ内情報から、予め定められた生成方式に従って、複数の送信装置のいずれか１つを識別するための送信装置識別情報を生成する。
【００８４】
単位データ送信部７０４は、送信装置識別情報生成部７０３により生成した送信装置識別情報が、送信装置識別情報記憶部７０１により記憶されている送信装置識別情報と対応している場合、単位データ受付部７０２により受け付けた単位データを、当該送信装置とともに送受信装置を構成する受信装置へ送信する。
【００８５】
単位データ送出部７０５は、送信装置識別情報生成部７０３により生成した送信装置識別情報が送信装置識別情報記憶部７０１により記憶されている送信装置識別情報と対応していない場合、単位データ受付部７０２により受け付けた単位データを、後段側に接続された送信装置へ送出する。
【００８６】
この第３実施形態に係る通信システムによれば、複数の送受信装置を用いて複数の単位データを同時に送受信することができる。これにより、１つの送受信装置のみを用いてデータを送受信する場合よりも、通信帯域（通信速度）を大きくすることができる。
【００８７】
加えて、この通信システムによれば、既存の送信装置に新たな送信装置を接続することにより、送信装置を通信システムに容易に追加することができる。また、接続されている送信装置を取り外すことにより、送信装置を通信システムから容易に削除することができる。このように、上記通信システムによれば、通信システムに送信装置を追加又は削除することにより、通信帯域を容易に変更することができる。
【００８８】
この場合、上記複数の受信装置は、直列に接続され、
上記受信装置は、当該受信装置とともに上記送受信装置を構成する上記送信装置により送信された単位データを受信し、当該受信した単位データを後段側に接続された上記受信装置へ送出するように構成されることが好適である。
【００８９】
これによれば、最も後段側の受信装置が複数の送信装置により送信されたすべての単位データを受け取ることができる。
【００９０】
この場合、上記通信システムは、
上記複数の送受信装置のそれぞれに対して、その送受信装置を構成する上記送信装置及び上記受信装置の間で送受信されたデータ量を取得する通信データ量取得手段を備えるとともに、
上記取得されたデータ量の偏差が所定の閾値よりも大きい場合、上記送信装置識別情報生成手段が用いる上記生成方式を変更するように構成されることが好適である。
【００９１】
これによれば、特定の送受信装置に通信負荷が偏っている状態が継続することを回避することができる。
【００９２】
この場合、上記通信データ量取得手段は、
上記受信装置が、上記受信した単位データのデータ量を取得する受信データ量取得手段と、
上記受信装置が取得したデータ量を、当該受信装置とともに上記送受信装置を構成する上記送信装置へ送信するデータ量送信手段と、
を含み、
上記送信装置は、
当該送信装置とともに上記送受信装置を構成する上記受信装置により送信されたデータ量を受信するデータ量受信手段と、
上記受信したデータ量を、前段側に接続された上記送信装置へ送出するデータ量送出手段と、
後段側に接続された上記送信装置により送出されたデータ量を受け付け、当該受け付けたデータ量を前段側に接続された上記送信装置へ送出するデータ量転送手段と、
自装置が上記複数の送信装置のうちの最も前段側に位置する場合に、後段側に接続された上記送信装置により送出された上記複数の送受信装置のそれぞれに対するデータ量を受け付け、当該受け付けたデータ量の偏差が上記閾値よりも大きいとき、上記送信装置識別情報生成手段が用いる上記生成方式を変更する旨を指示する生成方式変更指示を後段側に接続された上記送信装置へ送出する生成方式変更指示送出手段と、
前段側に接続された上記送信装置により送出された生成方式変更指示を受け付け、当該受け付けた生成方式変更指示を後段側に接続された上記送信装置へ送出する生成方式変更指示転送手段と、
上記生成方式変更指示に応じて、上記送信装置識別情報生成手段が用いる上記生成方式を変更する生成方式変更手段と、
を備えることが好適である。
【００９３】
この場合、上記送受信装置は、無線通信を行うことにより上記単位データを送受信するように構成されることが好適である。
【００９４】
この場合、上記単位データ内情報は、ＭＡＣ（Ｍｅｄｉａ  Ａｃｃｅｓｓ  Ｃｏｎｔｒｏｌ）アドレスを表す情報、ＶＬＡＮ（Ｖｉｒｔｕａｌ  Ｌｏｃａｌ  Ａｒｅａ  Ｎｅｔｗｏｒｋ）−ＩＤ（Ｉｄｅｎｔｉｆｉｃａｔｉｏｎ）を表す情報、ＭＰＬＳ（Ｍｕｌｔｉ  Ｐｒｏｔｏｃｏｌ  Ｌａｂｅｌ  Ｓｗｉｔｃｈｉｎｇ）ラベルを表す情報、及び、ＩＰ（Ｉｎｔｅｒｎｅｔ  Ｐｒｏｔｏｃｏｌ）アドレスを表す情報のうちの少なくとも１つを含む情報であることが好適である。
【００９５】
また、本発明の他の形態である送信装置は、
自装置を識別するための送信装置識別情報を記憶する送信装置識別情報記憶手段と、
データを送受信するために所定の単位毎にそのデータを分割した単位データを受け付ける単位データ受付手段と、
上記受け付けた単位データに含まれる単位データ内情報から、予め定められた生成方式に従って、送信装置識別情報を生成する送信装置識別情報生成手段と、
上記生成した送信装置識別情報が上記記憶されている送信装置識別情報と対応している場合、上記受け付けた単位データを、自装置とともに送受信装置を構成する受信装置へ送信する単位データ送信手段と、
上記生成した送信装置識別情報が上記記憶されている送信装置識別情報と対応していない場合、上記受け付けた単位データを送出する単位データ送出手段と、
を備える。
【００９６】
また、本発明の他の形態である通信方法は、
データを送受信するために所定の単位毎にそのデータを分割した単位データを送信する送信装置と、当該送信装置から送信された単位データを受信する受信装置と、からなる送受信装置を複数備えるとともに、上記複数の送信装置が直列に接続された通信システムに適用される。
【００９７】
更に、上記通信方法は、
上記送信装置が、前段側から上記単位データを受け付け、
上記送信装置が、上記受け付けた単位データに含まれる単位データ内情報から、予め定められた生成方式に従って、上記複数の送信装置のいずれか１つを識別するための送信装置識別情報を生成し、
上記送信装置が自装置を識別するために記憶している送信装置識別情報と、当該送信装置が上記生成した送信装置識別情報と、が対応している場合、当該送信装置が、上記受け付けた単位データを、当該送信装置とともに上記送受信装置を構成する上記受信装置へ送信し、
上記送信装置が自装置を識別するために記憶している送信装置識別情報と、当該送信装置が上記生成した送信装置識別情報と、が対応していない場合、当該送信装置が、上記受け付けた単位データを、後段側に接続された上記送信装置へ送出する方法である。
【００９８】
この場合、上記通信方法は、上記複数の受信装置が直列に接続されている場合に、当該受信装置が、当該受信装置とともに上記送受信装置を構成する上記送信装置により送信された単位データを受信し、当該受信した単位データを後段側に接続された上記受信装置へ送出するように構成されることが好適である。
【００９９】
この場合、上記通信方法は、上記複数の送受信装置のそれぞれに対して、その送受信装置を構成する上記送信装置及び上記受信装置の間で送受信されたデータ量を取得し、
上記取得されたデータ量の偏差が所定の閾値よりも大きい場合、上記送信装置識別情報を生成するために用いる上記生成方式を変更するように構成されることが好適である。
【０１００】
また、本発明の他の形態であるプログラムは、
送信装置に、
データを送受信するために所定の単位毎にそのデータを分割した単位データを前段側から受け付ける単位データ受付手段と、
上記受け付けた単位データに含まれる単位データ内情報から、予め定められた生成方式に従って、送信装置識別情報を生成する送信装置識別情報生成手段と、
上記送信装置が自装置を識別するために記憶している送信装置識別情報と、上記生成した送信装置識別情報と、が対応している場合、上記受け付けた単位データを、自装置とともに送受信装置を構成する受信装置へ送信する単位データ送信手段と、
上記送信装置が自装置を識別するために記憶している送信装置識別情報と、上記生成した送信装置識別情報と、が対応していない場合、上記受け付けた単位データを、後段側へ送出する単位データ送出手段と、
を実現させるためのプログラムである。
【０１０１】
上述した構成を有する、送信装置、通信方法、又は、プログラム、の発明であっても、上記通信システムと同様の作用を有するために、上述した本発明の目的を達成することができる。
【０１０２】
以上、上記各実施形態を参照して本願発明を説明したが、本願発明は、上述した実施形態に限定されるものではない。本願発明の構成及び詳細に、本願発明の範囲内において当業者が理解し得る様々な変更をすることができる。
【０１０３】
例えば、上記各実施形態において、通信装置の各機能は、回路等のハードウェアにより実現されていたが、処理装置がプログラム等を実行することにより実現されてもよい。この場合、プログラムは、記憶装置に記憶されていてもよく、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１０４】
また、上記実施形態の他の変形例として、上述した実施形態及び変形例の任意の組み合わせが採用されてもよい。
【０１０５】
なお、本発明は、日本国にて２００８年１２月２４日に出願された特願２００８−３２７１７８の特許出願に基づく優先権主張の利益を享受するものであり、当該特許出願にて開示された内容のすべてが本明細書に含まれるものとする。
【産業上の利用可能性】
【０１０６】
本発明は、マイクロ波を用いて無線通信を行う通信システム等に適用可能である。
【符号の説明】
【０１０７】
１        通信システム
１１０〜１８０  通信装置
１１１    第１の通信ポート
１１２    デマルチプレクサ回路部
１１２ａ  装置識別情報記憶部
１１２ｂ  装置識別情報生成部
１１３    マルチプレクサ回路部
１１４    無線通信部
１１５    第２の通信ポート
１１６    受信フレーム量取得部
１１７    生成方式変更指示送出部
７００    送信装置
７０１    送信装置識別情報記憶部
７０２    単位データ受付部
７０３    送信装置識別情報生成部
７０４    単位データ送信部
７０５    単位データ送出部
【図１】
2010073474.tif 000003
【図２】
2010073474.tif 000004
【図３】
2010073474.tif 000005
【図４】
2010073474.tif 000006
【図５】
2010073474.tif 000007
【図６】
2010073474.tif 000008
【図７】
2010073474.tif 000009
【国際調査報告】
2010073474.tif 000010
2010073474.tif 000011
2010073474.tif 000012
2010073474.tif 000013